(57)【要約】【課題】感光ドラムを回転させる制御信号と感光ドラムを帯電させる制御信号との出力の回数を低減し、かつ両者の制御信号を容易に連動させることができる画像形成装置を提供する。【解決手段】感光ドラム４２と、感光体ドラム４２を駆動するモータ８６と、モータ８６を制御する駆動回路４６と、感光ドラム４２を帯電する帯電ブラシ４４と、帯電ブラシ４４に対してバイアスを印加する帯電バイアス印加回路４６と、駆動回路４６及び帯電バイアス印加回路４６に対して制御信号を出力するプリンタコントローラ３４と、駆動回路４６と帯電バイアス印加回路４６とを実装し駆動回路４６及び帯電バイアス印加回路４６に対してプリンタコントローラ３４から制御信号を送信するための単一の信号線４７を有する単一の基板４５と、を備える。【選択図】      図１
2010026389.tif 000002
【特許請求の範囲】
【請求項１】
感光ドラムと、
前記感光体ドラムを駆動する駆動源と、
前記駆動源を制御する駆動回路と、
前記感光ドラムを帯電する帯電部と、
前記帯電部に対してバイアスを印加する帯電バイアス印加回路と、
前記駆動回路及び前記帯電バイアス印加回路に対して制御信号を出力する制御部と、
前記駆動回路と前記帯電バイアス印加回路とを設け、前記駆動回路及び前記帯電バイアス印加回路に対して前記制御部から制御信号を送信するための単一の信号線を有する単一の基板と、
を備える画像形成装置。
【請求項２】
前記感光ドラムにトナーを供給し前記感光ドラムに形成された静電潜像を現像する現像部と、
前記制御部からの制御信号に基づいて前記現像部に対してバイアスを印加する現像器バイアス印加回路と、
を有し、
前記制御部は、
前記感光ドラムの駆動の開始を指示する制御信号を前記駆動回路に対して出力すると同時に、
前記感光ドラムの駆動の開始時から、前記感光ドラムが未帯電の状態で前記現像部に到達する部位が前記現像部を通過するまでの間、前記現像部がトナーの極性と逆の極性となるバイアスを印加し、
かつ前記感光ドラムが未帯電の状態で前記現像部に到達する部位が前記現像部を通過した後は、前記現像部がトナーの極性と同じ極性となるバイアスを印加する制御信号を前記現像器バイアス印加回路に対して出力する請求項１に記載の画像形成装置。
【請求項３】
前記制御部は、
前記感光ドラムの駆動の停止を指示する制御信号を前記駆動回路に対して出力すると同時に又は前記感光ドラムの駆動の停止を指示する制御信号を前記駆動回路に対して出力する所定時間前に、
前記現像部がトナーの極性と逆の極性となるバイアスを印加する制御信号を前記現像器バイアス印加回路に対して出力する請求項１又は２に記載の画像形成装置。
【請求項４】
前記制御部は、
前記感光ドラムの惰性による回転停止後に、前記現像部に対するバイアスの印加を停止する制御信号を前記現像器バイアス印加回路に対して出力する請求項３に記載の画像形成装置。
【発明の詳細な説明】
【技術分野】
【０００１】
本発明は、感光体ドラムを駆動する駆動回路と、感光ドラムを帯電する帯電部と、帯電部に対してバイアスを印加する帯電バイアス印加回路と、を備えた画像形成装置に関する。
【背景技術】
【０００２】
従来の画像形成装置は、感光ドラムと、感光体ドラムを駆動する駆動源と、駆動源を制御する駆動回路と、感光ドラムを帯電する帯電部と、帯電部に対してバイアスを印加する帯電バイアス印加回路と、駆動回路及び帯電バイアス印加回路に対して制御信号を出力する制御部と、を備えている。ここで、駆動回路と帯電バイアス印加回路とは別々の基板に実装されており、各基板と制御部との間には、制御部から制御信号を送信するための信号線がそれぞれ別々に接続されている。
【特許文献１】特開２００７−２１２８６７号公報
【特許文献２】特開２００７−５７５６２号公報
【発明の開示】
【発明が解決しようとする課題】
【０００３】
ところで、上記従来の画像形成装置は、起動時において、感光ドラムを回転させる制御信号と、感光ドラムを帯電させる制御信号とは、制御部から各基板に対してそれぞれ別々に出力されていた。このため、制御部から出力する制御信号の回数が多くなる問題が生じ、また、両者のタイミングを合わせることも困難になる問題が生じていた。
【０００４】
そこで、本発明は、感光ドラムを回転させる制御信号と感光ドラムを帯電させる制御信号との出力の回数を低減し、かつ両者の制御信号を容易に連動させることができる画像形成装置を提供することを目的とする。
【課題を解決するための手段】
【０００５】
本願第１発明は、感光ドラムと、前記感光体ドラムを駆動する駆動源と、前記駆動源を制御する駆動回路と、前記感光ドラムを帯電する帯電部と、前記帯電部に対してバイアスを印加する帯電バイアス印加回路と、前記駆動回路及び前記帯電バイアス印加回路に対して制御信号を出力する制御部と、前記駆動回路と前記帯電バイアス印加回路とを設け、前記駆動回路及び前記帯電バイアス印加回路に対して前記制御部から制御信号を送信するための単一の信号線を有する単一の基板と、を備える。
【０００６】
この構成によれば、単一の基板に、駆動回路と帯電バイアス印加回路とが設けられ、これらが制御部と単一の信号線により接続されている。このため、制御部は、駆動回路を制御する制御信号と帯電バイアス印加回路を制御する制御信号とを含めた一つの制御信号を出力することにより、感光ドラムの回転駆動と感光ドラムの帯電を同時に実行することができる。これにより、制御部から別々の制御信号を出力して感光ドラムの回転駆動と帯電とを実行する構成と比較して、制御部から出力する制御信号の数を減らすことができる。
【０００７】
本願第２発明は、本願第１発明において、前記感光ドラムにトナーを供給し前記感光ドラムに形成された静電潜像を現像する現像部と、前記制御部からの制御信号に基づいて前記現像部に対してバイアスを印加する現像器バイアス印加回路と、を有し、前記制御部は、前記感光ドラムの駆動の開始を指示する制御信号を前記駆動回路に対して出力すると同時に、前記感光ドラムの駆動の開始時から、前記感光ドラムが未帯電の状態で前記現像部に到達する部位が前記現像部を通過するまでの間、前記現像部がトナーの極性と逆の極性となるバイアスを印加し、かつ前記感光ドラムが未帯電の状態で前記現像部に到達する部位が前記現像部を通過した後は、前記現像部がトナーの極性と同じ極性となるバイアスを印加する制御信号を前記現像器バイアス印加回路に対して出力する。
【０００８】
この構成によれば、感光ドラムの駆動の開始時から、感光ドラムが未帯電の状態で現像部に到達する部位が現像部を通過するまでの間、現像部にはトナーの極性と逆の極性となるバイアスが印加される。これにより、現像部とトナーとの極性が逆の極性となり、両者の引き合う力が強くなるため、現像部のトナーが感光ドラムの未帯電部に移行することを防止できる。この結果、感光ドラムの未帯電部の現像を防止できる。
【０００９】
続いて、感光ドラムが未帯電の状態で現像部に到達する部位が前記現像部を通過した後は、現像部がトナーの極性と同じ極性となるバイアスが印加される。これにより、現像部とトナーとの極性が同じ極性となり、両者の引き合う力が無くなるため、現像部のトナーが感光ドラムの帯電部に移行することを防止できる。この結果、感光ドラムの帯電部に形成された静電潜像に対する現像が容易になる。
【００１０】
なお、本明細書において、「現像部がトナーの極性と逆の極性となるバイアスを印加する制御信号」とは、現像部がトナーの極性と逆の極性とするための逆バイアスを印加する現像器バイアス印加回路であれば、現像器バイアス印加回路の起動（駆動）をＯＮにする制御信号を意味し、現像部がトナーの極性と同じ極性とするための正バイアスを印加する現像器バイアス印加回路であれば、現像器バイアス印加回路の起動（駆動）をＯＦＦにする制御信号を意味する。また、「現像部がトナーの極性と同じ極性となるバイアスを印加する制御信号」とは、現像部がトナーの極性と逆の極性とするための逆バイアスを印加する現像器バイアス印加回路であれば、現像器バイアス印加回路の起動（駆動）をＯＦＦにする制御信号を意味し、現像部がトナーの極性と同じ極性とするための正バイアスを印加する現像器バイアス印加回路であれば、現像器バイアス印加回路の起動（駆動）をＯＮにする制御信号を意味する。
【００１１】
本願第３発明は、本願第１発明又は第２発明において、前記制御部は、前記感光ドラムの駆動の停止を指示する制御信号を前記駆動回路に対して出力すると同時に又は前記感光ドラムの駆動の停止を指示する制御信号を前記駆動回路に対して出力する所定時間前に、前記現像部がトナーの極性と逆の極性となるバイアスを印加する制御信号を前記現像器バイアス印加回路に対して出力する。
【００１２】
この構成によれば、感光ドラムの駆動の停止を指示する制御信号が駆動回路に対して出力されると同時に又は感光ドラムの駆動の停止を指示する制御信号が駆動回路に対して出力される所定時間前に、現像部がトナーの極性と逆の極性となるバイアスを印加する制御信号が現像器バイアス印加回路に対して出力される。これにより、感光ドラムの駆動が停止した後に、現像部とトナーとの極性が逆の極性となり、両者の引き合う力が強くなるため、現像部のトナーが感光ドラム側に移行することを防止できる。この結果、用紙への印字終了後に、感光ドラムにトナーが付着して汚れてしまうことを防止できる。
【００１３】
本願第４発明は、本願第３発明において、前記制御部は、前記感光ドラムの惰性による回転停止後に、前記現像部に対するバイアスの印加を停止する制御信号を前記現像器バイアス印加回路に対して出力する。
【００１４】
この構成によれば、感光ドラムの惰性による回転停止後に、現像部に対するバイアスの印加を停止する制御信号が現像器バイアス印加回路に対して出力される。これにより、感光ドラムの回転が完全に停止した後に、現像器バイアス印加回路の起動（駆動）を停止することができる。
【００１５】
なお、本明細書において、「現像部に対するバイアスの印加を停止する制御信号」とは、現像部がトナーの極性と逆の極性とするための逆バイアスを印加する現像器バイアス印加回路、現像部がトナーの極性と同じ極性とするための正バイアスを印加する現像器バイアス印加回路のいずれの現像器バイアス印加回路に対しても、現像器バイアス印加回路の起動（駆動）をＯＦＦにする制御信号を意味する。
【発明の効果】
【００１６】
本発明によれば、感光ドラムを回転させる制御信号と感光ドラムを帯電させる制御信号との出力の回数を低減し、かつ両者の制御信号を容易に連動させることができる。
【発明を実施するための最良の形態】
【００１７】
次に、本発明の第１実施形態に係る画像形成装置について、図面を参照して説明する。
【００１８】
図１に示すように、画像形成装置１０は、ファクシミリ機能とコピー機能を備えたいわゆる複合機として構成したもので、ＭＰＵ１２、ＮＣＵ（網制御回路：Ｎｅｔｗｏｒｋ  Ｃｏｎｔｒｏｌ  Ｕｎｉｔ）１４、ＭＯＤＥＭ１６、ＲＯＭ１８、ＲＡＭ２０、画像メモリ（ＤＲＡＭ）２２、ＣＯＤＥＣ（符号化・復号器：Ｃｏｄｅｒ  ａｎｄ  Ｄｅｃｏｄｅｒ）２４、操作部２６、スキャナ２８、パーソナルコンピュータ（ＰＣ）３０が接続されたプリンタＩ／Ｆ３２と、複数の給紙カセット（図示省略）と、を備えている。
【００１９】
ＭＰＵ１２は、この装置を構成する各部を制御する。ＮＣＵ１４は、電話回線網（ＰＳＴＮ）との接続を制御し、受信原稿のデータを受信するとともに、相手先の電話番号（ＦＡＸ番号を含む）に対応したダイヤル信号を送出する機能及び着信を検出するための機能を備えている。ＭＯＤＥＭ１６は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。或いは、これらに加えてＶ．３４に従った送信データの変調及び受信データの復調を行う。
【００２０】
ＲＯＭ１８は、この装置を制御するためのプログラムを記憶する。ＲＡＭ２０は、データ等を一時的に記憶する。画像メモリ２２は、受信データあるいはスキャナ２８で読み取った画データを一時的に記憶する。ＣＯＤＥＣ２４は、読み取った画データを送信するために、ＭＨ、ＭＲ、ＭＭＲ方式等により符号化（エンコード）し、受信画データを復号（デコード）する。操作部２６は、ユーザがＦＡＸ送信・受信、プリント（用紙印字）等の指示をするためのものである。スキャナ２８は、ＦＡＸ送信するときに原稿の画データを読み取る。
【００２１】
この装置のプリンタは、プリンタ各部を制御するプリンタコントローラ（制御部）３４を備えている。また、プリンタコントローラ３４は、ＣＰＵ３６と、ＲＡＭ３８と、タイマ４０と、を内蔵している。
【００２２】
ＣＰＵ３６は、用紙に対する画像形成処理に関するシステム全体を制御している。特に、図２に示すように、ＣＰＵ３６は、モータ８６の駆動制御に関する制御信号と帯電バイアスに関する制御信号とを含めた一つの制御信号を後述のモータ駆動回路／帯電バイアス印加回路（駆動回路、帯電バイアス印加回路）４６に対して出力する。具体的には、画像形成装置１０の起動時（印字処理時）に、ＣＰＵ３６は、モータ８６を駆動（感光ドラム４２を回転駆動）させる制御信号と感光ドラム４２を帯電させる制御信号とが１つの制御信号（以下、適宜、「モータ駆動／バイアス印加信号」と称する）として生成し、これを信号線４７を介して１回の出力処理でモータ駆動回路／帯電バイアス印加回路４６に対して送信する。
【００２３】
また、ＣＰＵ３６は、感光ドラム４２の回転駆動の開始及び帯電ブラシ（帯電部）４４による帯電の開始を指示する制御信号を後述のモータ駆動回路／帯電バイアス印加回路４６に対して出力すると同時に、感光ドラム４２の回転駆動の開始時（帯電ブラシ４４による帯電の開始時）から、感光ドラム４２が未帯電の状態で現像ローラ（現像部）５２に到達する部位が現像ローラ５２を通過するまでの間、現像ローラがトナーの極性と逆の極性となるバイアスを印加し、かつ感光ドラム４２が未帯電の状態で現像ローラ５２に到達する部位が現像ローラ５２を通過した後は、現像ローラ５２がトナーの極性と同じ極性となるバイアスを印加する制御信号を現像器バイアス印加回路５６に対して出力する。
【００２４】
また、図３に示すように、ＣＰＵ３６は、感光ドラム４２の回転駆動の停止及び帯電ブラシ４４による帯電の停止を指示する制御信号をモータ駆動回路／帯電バイアス印加回路４６に対して出力すると同時に、又は感光ドラム４２の回転駆動の停止及び帯電ブラシ４４による帯電の停止を指示する制御信号を後述のモータ駆動回路／帯電バイアス印加回路４６に対して出力する所定時間前（例えば、時間Ｙ前、図３参照）に、現像ローラ５２がトナーの極性と逆の極性となるバイアスを印加する制御信号を現像器バイアス印加回路５６に対して出力する。
【００２５】
さらに、ＣＰＵ３６は、感光ドラム４２の惰性による回転停止後に、現像ローラ５２に対するバイアスの印加を停止する制御信号を現像器バイアス印加回路５６に対して出力する。
【００２６】
なお、「現像ローラ５２がトナーの極性と逆の極性となるバイアスを印加する制御信号」とは、現像ローラ５２がトナーの極性と逆の極性とするための逆バイアスを印加する現像器バイアス印加回路５６であれば、現像器バイアス印加回路５６の起動（駆動）をＯＮにする（作動する）制御信号を意味し、現像ローラ５２がトナーの極性と同じ極性とするための正バイアスを印加する現像器バイアス印加回路５６であれば、現像器バイアス印加回路５６の起動（駆動）をＯＦＦにする（停止する）制御信号を意味する。具体的には、正規チャージトナーとしてマイナス（−）の極性を持ったトナーを使用した場合には、現像ローラ５２をプラス（＋）の極性にするバイアスが逆バイアスになり、現像ローラ５２をマイナス（−）の極性にするバイアスが正バイアスになる。この場合には、現像器バイアス印加回路５６が現像ローラ５２をプラス（＋）の極性にする逆バイアスを印加する回路であれば、現像器バイアス印加回路５６の起動（駆動）がＯＮになり、現像器バイアス印加回路５６が現像ローラ５２をマイナス（−）の極性にする正バイアスを印加する回路であれば、現像器バイアス印加回路５６の起動（駆動）がＯＦＦになる。
【００２７】
また、「現像ローラ５２がトナーの極性と同じ極性となるバイアスを印加する制御信号」とは、現像ローラ５２がトナーの極性と逆の極性とするための逆バイアスを印加する現像器バイアス印加回路５６であれば、現像器バイアス印加回路５６の起動（駆動）をＯＦＦにする（停止する）制御信号を意味し、現像ローラ５２がトナーの極性と同じ極性とするための正バイアスを印加する現像器バイアス印加回路５６であれば、現像器バイアス印加回路５６の起動（駆動）をＯＮにする（作動する）制御信号を意味する。この場合も、同様にして、現像器バイアス印加回路５６が現像ローラ５２をプラス（＋）の極性にする逆バイアスを印加する回路であれば、現像器バイアス印加回路５６の起動（駆動）がＯＦＦになり、現像器バイアス印加回路５６が現像ローラ５２をマイナス（−）の極性にする正バイアスを印加する回路であれば、現像器バイアス印加回路５６の起動（駆動）がＯＮになる。
【００２８】
さらに、「現像ローラ５２に対するバイアスの印加を停止する制御信号」とは、現像ローラ５２がトナーの極性と逆の極性とするための逆バイアスを印加する現像器バイアス印加回路５６、現像ローラ５２がトナーの極性と同じ極性とするための正バイアスを印加する現像器バイアス印加回路５６のいずれの現像器バイアス印加回路５６に対しても、現像器バイアス印加回路５６の起動（駆動）をＯＦＦ（停止）にする制御信号を意味する。
【００２９】
図１に示すように、ＲＡＭ３８には、用紙にトナー画像を形成する画像形成処理を適切に実行するために各部を制御するプログラムが記憶されている。特に、ＲＡＭ３８には、上記したＣＰＵ３６による制御信号の出力に関するプログラムが記憶されている。
【００３０】
また、画像形成装置１０の内部には、感光体として外周面に光導電膜を有する感光ドラム４２が配置され、感光ドラム４２は、駆動源となるモータ８６により回転される。この感光ドラム４２の周囲には、ブラシローラ式の帯電器として帯電ブラシ４４が配置され、この帯電ブラシ４４にはモータ駆動回路／帯電バイアス印加回路４６により所定のバイアス電圧が印加される。バイアス電圧が印加された帯電ブラシ４４は、回転しながら感光ドラム４２の外周面を約−７５０Ｖに一様に帯電させる。
【００３１】
ここで、モータ駆動回路／帯電バイアス印加回路４６は、感光ドラム４２を回転駆動させるためのモータ駆動回路と、帯電ブラシ４４に対して所定のバイアスを印加させるための帯電バイアス印加回路と、の２つの回路が単一の基板４５（１つの基板４５）に実装されて構成されている。
【００３２】
また、プリンタコントローラ３４と基板４５とは、単一の信号線４７（１つの信号線４７）で接続されている。感光ドラム４２を回転駆動させる制御信号と、感光ドラム４２を帯電させるための制御信号は、この信号線４７を介してプリンタコントローラ３４からモータ駆動回路／帯電バイアス印加回路４６に対して出力（送信）される。
【００３３】
感光ドラム４２の周囲に配置された露光部としてのＬＥＤプリントヘッド４８は、多数のＬＥＤを並設してなり、入力された画情報に基づき感光ドラム４２の外周面に光を照射し、外周面に画情報に対応する静電潜像を形成する。なお、ＬＥＤプリントヘッド４８の出力は、プリンタコントローラ３４のＣＰＵ３６により制御される。
【００３４】
また、感光ドラム４２の周囲に配置された現像器は、供給ローラ５０、現像ローラ５２、ブレード５４及び現像器バイアス印加回路５６等を備えている。供給ローラ５０は、トナーを入れたトナーケース（図示省略）からトナーを帯電させつつ現像ローラ５２に供給するもので、この供給ローラ５０には現像器バイアス印加回路５６により所定のバイアス電圧（−３００Ｖ〜−７００Ｖ、好ましくは約−５００Ｖ）が印加される。この供給ローラ５０と感光ドラム４２に接触して配置された現像ローラ５２には、現像器バイアス印加回路５６により所定のバイアス電圧（−３００Ｖ〜−４００Ｖ、好ましくは−３５０Ｖ）が印加される。なお、現像器バイアス印加回路５６は、プリンタコントローラ３４のＣＰＵ３６により制御される。
【００３５】
ブレード５４は、現像ローラ５２の外周面に弾性的に接触し、現像ローラ５２の外周面に付着したトナーの層厚を均一にするもので、このブレード５４には現像器バイアス印加回路５６により所定のバイアス電圧（−３００Ｖ〜−７００Ｖ、好ましくは約−４００Ｖ）が印加される。
【００３６】
さらに、感光ドラム４２の周囲に配置された転写器としての転写ローラ５８は、用紙搬送経路を挟んで感光ドラム４２の外周面と接触するように配置され、駆動源（図示せず）により回転される。この転写ローラ５８には転写バイアス印加回路６０により所定のバイアス電圧（転写バイアス）が印加される。転写ローラ５８にバイアス電圧が印加されると、転写ローラ５８には流入電流が流れるが、転写ローラ５８の流入電流は電流検出部６２により検出される。そして、この検出された電流値は、プリンタコントローラ３４のＲＡＭ３８に保存される。なお、転写バイアス印加回路６０は、プリンタコントローラ３４のＣＰＵ３６により制御される。
【００３７】
用紙搬送経路の用紙送り出し側に配置された定着部６４は、ハロゲンランプ等のヒータ６６を内蔵するヒートローラ６８と、プレスローラ７２と、で構成される。ヒートローラ６８は、駆動モータ７８により回転駆動される。また、ヒートローラ６８は、円筒状に形成されており、軸方向に延びるように形成されている。また、ヒートローラ６８のヒータ６６は、プリンタコントローラ３４のＣＰＵ３６に制御されたヒータ駆動回路７０によって所定の温度に加熱される。そして、ヒートローラ６８とプレスローラ７２は、転写ローラ５８による転写後の用紙を加熱圧接することにより、用紙上のトナー画像を定着させる。
【００３８】
また、図１に示すように、画像形成装置１０には、感光ドラム４２の周囲にメモリ除去ブラシ７４が配置されている。このメモリ除去ブラシ７４は、転写後にも感光ドラム４２の外周面に画像の輪郭に沿って残るトナー画像（メモリ画像）を除去するためのもので、メモリ除去ブラシ７４にはメモリ除去ブラシ電圧印加回路７６により所定のバイアス電圧が印加される。
【００３９】
また、感光ドラム４２の用紙搬送方向上流側には、用紙を検知するためのＰＳＳ８２が配置されている。このＰＳＳ８２の検知結果は、プリンタコントローラ３４に出力される。搬送されてくる用紙は、このＰＳＳ８２に検知され、この検知結果をトリガーとして、用紙搬送方向下流において用紙への画像形成が実現される。
【００４０】
さらに、画像形成装置１０には、給紙ローラ８４が設けられている。この給紙ローラ８４は、給紙カセットに収納された用紙を、順次、用紙搬送路（図示省略）に供給するためのものである。この給紙ローラ８４には、駆動源としてのモータ８６がクラッチ８８を介して接続されている。給紙ローラ８４がクラッチ８８を介してモータ８６と接続されている状態では、モータ８６の駆動力が給紙ローラ８４に伝達され、給紙ローラ８４が回転する。なお、このモータ８８は、感光ドラム４２を回転駆動させる駆動源として兼用されている。
【００４１】
上記のように構成された画像形成装置１０において、プリント動作は周知であるが、概説すると、帯電ブラシ４４により感光ドラム４２が約−７５０Ｖに一様に帯電され、その感光ドラム４２にＬＥＤプリントヘッド４８により画情報に対応する静電潜像が形成され、現像ローラ５２により感光ドラム４２上の静電潜像にトナーが吸着されて、感光ドラム４２上にトナー画像が形成される。そして、転写ローラ５８により感光ドラム４２上のトナー画像が用紙に転写される。転写後は、ヒートローラ６８とプレスローラ７２により用紙が加熱・加圧され、用紙にトナー画像が永久像として定着される。このとき、用紙のサイズが大きい場合、幅方向（搬送方向に対して直交する方向）両端部は、ヒートローラ６８の軸方向両端部に接触し、ヒートローラ６８の軸方向両端部の熱量により用紙の幅方向両端部のトナー画像が定着される。
【００４２】
次に、第１実施形態に係る画像形成装置１０による印字開始時のバイアス印加処理について、フローチャートに基づいて説明する。画像形成装置１０の待機状態を出発点として説明する。
【００４３】
図２及び図４に示すように、ＣＰＵ３６からモータ駆動／バイアス印加信号がモータ駆動回路／帯電バイアス印加回路４６に対して出力された場合（Ｓ１００：ＹＥＳ）には、モータ８６の駆動が開始される（Ｓ１１０）と同時に、感光ドラム４２に対する帯電が開始される（Ｓ１２０）。
【００４４】
なお、モータ８６の駆動開始と感光ドラム４２の帯電処理は、画像形成装置１０の起動時（印字処理時）に、モータ８６を駆動させる制御信号と感光ドラム４２を帯電させる制御信号とが１つの制御信号（以下、適宜、「モータ駆動／バイアス印加信号」と称する）としてＣＰＵ３６により生成され、これが１回の出力処理でモータ駆動回路／帯電バイアス印加回路４６に対して送信されることにより実現される。このように、ＣＰＵ３５は、モータ８６を駆動する制御信号と帯電ブラシ４４を制御する制御信号とを含めた一つの制御信号をモータ駆動回路／帯電バイアス印加回路４６に対して出力することにより、感光ドラム４２の回転駆動と感光ドラム４２の帯電を同時に実行することができる。これにより、ＣＰＵ３６から別々の制御信号を出力して感光ドラム５２の回転駆動と帯電とを実行する構成と比較して、ＣＰＵ３６から出力する制御信号の数を減らすことができる。
【００４５】
このとき、並行して（同時に）、現像ローラ５２をトナーの極性と逆の極性にする逆バイアスを現像ローラ５２に対して印加する現像器バイアス印加回路５６に対しては、現像器バイアス印加回路５６の起動（駆動）がＯＮにされ、現像ローラ５２に対して逆バイアスが印加される（Ｓ１３０）。なお、現像ローラ５２をトナーの極性と同じ極性にする正バイアスを現像ローラ５２に対して印加する現像器バイアス印加回路５６に対しては、現像器バイアス印加回路５６の起動（駆動）がＯＦＦにされる。これにより、現像ローラ５２の表面は、トナーの極性と逆の極性になる。この結果、現像ローラ５２とトナーとの極性が逆の極性となり、両者の引き合う力が強くなるため、現像ローラ５２のトナーが感光ドラム４２の未帯電部に移行することを防止でき、ひいては感光ドラム４２の未帯電部の現像を防止できる。さらに、同時に、タイマ４０によるカウントが開始する（Ｓ１４０）。このＳ１１０からＳ１４０の各処理は、同時に開始される。
【００４６】
タイマ４０によるカウント値が所定値になり、所定時間Ｔ（図２参照）が経過した場合（Ｓ１５０：ＹＥＳ）には、現像ローラ５２をトナーの極性と同じ極性にする正バイアスを現像ローラ５２に対して印加する現像器バイアス印加回路５６に対しては、現像器バイアス印加回路５６の起動（駆動）がＯＮにされ、現像ローラ５２に対して正バイアスが印加される（Ｓ１６０）。ここで、所定時間Ｔ（図２参照）とは、感光ドラム４２の回転駆動の開始時から、感光ドラム４２が未帯電の状態で現像ローラ５２に到達する部位が現像ローラ５２を通過するまでの間までに要する時間を意味し、予めＲＡＭ３８のプログラムに記憶されている。なお、現像ローラ５２をトナーの極性と逆の極性にする逆バイアスを現像ローラ５２に対して印加する現像器バイアス印加回路５６に対しては、現像器バイアス印加回路５６の起動（駆動）がＯＦＦにされる。これにより、現像ローラ５２の表面は、トナーの極性と同じ極性になる。この結果、現像ローラ５２とトナーとの極性が同じ極性となり、両者の引き合う力が無くなるため、現像ローラ５２のトナーが感光ドラム４２の帯電部に移行することを防止できる。この結果、感光ドラム４２の帯電部の静電潜像に対する現像が容易になる。そして、この状態のまま、印字処理が開始される。
【００４７】
なお、上記した現像器バイアス印加回路５６による現像ローラ５２に対する印加処理は、感光ドラム４２の駆動の開始及び帯電ブラシ４４による帯電の開始を指示する制御信号がモータ駆動回路／帯電バイアス印加回路４６に対して出力されると同時に、感光ドラム４２の駆動の開始時から、感光ドラム４２が未帯電の状態で現像部ローラ５２に到達する部位が現像ローラ５２を通過するまでの間、現像ローラ５２がトナーの極性と逆の極性となるバイアスを印加し、かつ感光ドラム４２が未帯電の状態で現像ローラ５２に到達する部位が現像ローラ５２を通過した後は、現像ローラ５２がトナーの極性と同じ極性となるバイアスを印加する制御信号をモータ駆動回路／帯電バイアス印加回路４６に対して出力することにより実現される。
【００４８】
次に、図３に示すように、感光ドラム４２の駆動の停止及び帯電ブラシ４４による帯電の停止を指示する制御信号がモータ駆動回路／帯電バイアス印加回路４６に対して出力される所定時間Ｙ前に、現像ローラ５２がトナーの極性と逆の極性となるバイアスを印加する制御信号が現像器バイアス印加回路５６に対して出力される。具体的には、現像ローラ５２をトナーの極性と逆の極性にする逆バイアスを現像ローラ５２に対して印加する現像器バイアス印加回路５６に対しては、現像器バイアス印加回路５６の起動（駆動）がＯＮにされ、現像ローラ５２に対して逆バイアスが印加される。なお、現像ローラ５２をトナーの極性と同じ極性にする正バイアスを現像ローラ５２に対して印加する現像器バイアス印加回路５６に対しては、現像器バイアス印加回路５６の起動（駆動）がＯＦＦにされる。これにより、現像ローラ５２の表面は、トナーの極性と逆の極性になる。このため、感光ドラム４２の駆動が停止した後に、現像ローラ５２とトナーとの極性が逆の極性となり、両者の引き合う力が強くなり、現像ローラ５２のトナーが感光ドラム４２に移行することを防止できる。この結果、用紙への印字終了後に、感光ドラム４２にトナーが付着して汚れてしまうことを防止できる。
【００４９】
なお、感光ドラム４２の駆動の停止及び帯電ブラシ４４による帯電の停止を指示する制御信号がモータ駆動回路／帯電バイアス印加回路４６に対して出力されると同時に、現像ローラ５２がトナーの極性と逆の極性となるバイアスを印加する制御信号が現像器バイアス印加回路５６に対して出力されるようにしてもよい。
【００５０】
このように、いずれの場合でも、感光ドラム４２の駆動の停止及び帯電ブラシ４４による帯電の停止を指示する制御信号がモータ駆動回路／帯電バイアス印加回路４６に対して出力されたときには、現像ローラ５２の表面は、トナーの極性と逆の極性になっている。
【００５１】
また、ＣＰＵ３６により、感光ドラム４２の惰性による回転停止後に、現像ローラ５２に対するバイアスの印加を停止する制御信号が現像器バイアス印加回路５６に対して出力される。これにより、感光ドラム４２の回転が完全に停止した後に、現像器バイアス印加回路５６の起動（駆動）を停止することができる。
【図面の簡単な説明】
【００５２】
【図１】本発明の第１実施形態に係る画像形成装置の概略構成を示すシステム図である。
【図２】本発明の第１実施形態に係る画像形成装置の起動時の各制御信号のＯＮ／ＯＦＦを示した説明図である。
【図３】本発明の第１実施形態に係る画像形成装置の停止時の各制御信号のＯＮ／ＯＦＦを示した説明図である。
【図４】本発明の第１実施形態に係る画像形成装置による印字開始時のバイアス印加処理を示すフローチャートである。
【符号の説明】
【００５３】
１０      画像形成装置
３４      プリンタコントローラ（制御部）
４２      感光ドラム
４４      帯電ブラシ（帯電部）
４５      基板
４６      モータ駆動回路／帯電バイアス印加回路（駆動回路、帯電バイアス印加回路）
５２      現像ローラ（現像部）
５６      現像器バイアス印加回路
８６      モータ（駆動源）
【図１】
2010026389.tif 000003
【図２】
2010026389.tif 000004
【図３】
2010026389.tif 000005
【図４】
2010026389.tif 000006